(57)【要約】【課題】企業とコンテンツ制作者とを、コンテンツに関して出会わせることができるコンテンツ提示装置を提供する。【解決手段】コンテンツ提示装置１は、クエリ情報が入力される入力部１０と、意味的情報と対応付けられた、複数の動画コンテンツが記憶される記憶部２０と、入力部１０によって入力されたクエリ情報に基づいて、記憶部２０に記憶される複数の動画コンテンツから、１又は複数の動画コンテンツを抽出する抽出部３３と、クエリ情報に関連するコンテンツに、抽出部３３によって抽出された１又は複数の動画コンテンツを含ませて表示する表示部３４と、動画コンテンツがコンテンツと共に表示部３４に表示された場合に、コンテンツと共に表示された動画コンテンツについて再生操作が行われると、動画コンテンツを再生させる再生制御部３５と、を備える。【選択図】図１
2016045517.tif 000002
【特許請求の範囲】
【請求項１】
クエリ情報が入力される入力部と、
動画コンテンツの内容を表す意味的情報と対応付けられた、複数の動画コンテンツが記憶される記憶部と、
前記入力部によって入力されたクエリ情報に基づいて、前記記憶部に記憶される複数の動画コンテンツから、１又は複数の動画コンテンツを抽出する抽出部と、
クエリ情報に関連するコンテンツに、前記抽出部によって抽出された１又は複数の動画コンテンツを含ませて表示する表示部と、
動画コンテンツがコンテンツと共に前記表示部に表示された場合に、コンテンツと共に表示された動画コンテンツについて再生操作が行われると、動画コンテンツを再生させる再生制御部と、
を備えるコンテンツ提示装置。
【請求項２】
前記抽出部によって抽出された動画コンテンツが複数ある場合、動画コンテンツに関する情報に基づいて、抽出された複数の動画コンテンツのうちのいずれかを、クエリ情報に関連するコンテンツに含ませて前記表示部に表示させる表示制御部をさらに備える
請求項１に記載のコンテンツ提示装置。
【請求項３】
前記抽出部によって抽出される動画コンテンツは、本編の動画コンテンツの内容を抜粋することにより制作された抜粋版の動画コンテンツであり、
前記表示制御部は、表示部に表示される抜粋版の動画コンテンツに関連して所定の操作が行われると、抜粋版の動画コンテンツに対応する本編の動画コンテンツを、表示部に表示させる
請求項２に記載のコンテンツ提示装置。
【請求項４】
前記表示制御部は、クエリ情報に関連するコンテンツに含ませて動画コンテンツを前記表示部に表示させる場合、抜粋版の動画コンテンツに対応する本編の動画コンテンツが放送される日時及びチャンネルを前記表示部に表示させる
請求項３に記載のコンテンツ提示装置。
【請求項５】
前記記憶部を複数備え、
前記抽出部は、複数の前記記憶部に記憶される複数の動画コンテンツから、クエリ情報に対応する意味的情報が対応付けられた１又は複数の動画コンテンツを抽出する
請求項１から４のいずれか１項に記載のコンテンツ提示装置。
【請求項６】
クエリ情報に基づいて、当該クエリ情報に対応する意味的情報が対応付けられた１又は複数の動画コンテンツを抽出する抽出部と、
前記クエリ情報に関連するコンテンツに、前記抽出部によって抽出された１又は複数の動画コンテンツを含ませて表示する表示部と、
を備えるコンテンツ提示装置。
【発明の詳細な説明】
【技術分野】
【０００１】
本発明は、コンテンツを提示することが可能なコンテンツ提示装置に関する。
【背景技術】
【０００２】
従来から、商品及びサービス等を提供する企業は、動画コンテンツを制作した後、テレビのコマーシャル及びウェブページ等を利用して、その商品及びサービス等の宣伝を行っている。例えば、特許文献１に記載されたシステムは、商品についての付加価値を付与する光景を撮影し、撮影した動画像のデータを商品のウェブページや動画像投稿サイトに投稿することにより、消費者が商品のウェブページにアクセスするのを誘引するようになっている。また、特許文献２に記載されたシステムは、商品又はサービスに対する消費者の嗜好情報と、商品又はサービスを提供する提供者の訴求情報と、に基づいて、予め用意された複数の宣伝コンテンツから報知すべき宣伝コンテンツを選択し、選択した宣伝コンテンツを含むコマーシャルメッセージを生成するようになっている。
【先行技術文献】
【特許文献】
【０００３】
【特許文献１】特開２０１２−５３５７８号公報
【特許文献２】特開２０１２−９４０２６号公報
【発明の概要】
【発明が解決しようとする課題】
【０００４】
従来では、宣伝を行う企業自体が、又は、宣伝を行う企業の依頼を受けた機関若しくはその企業とタイアップした機関が動画コンテンツを制作しているため、消費者の視点から見ると、宣伝に対して「やらせ」や「誇大広告」といった印象を持たれる可能性がある。
特許文献１，２に記載されたシステムでは、商品に関する動画像や宣伝コンテンツを自身で用意する必要があるため、上述と同様に、消費者は、宣伝に対して「やらせ」や「誇大広告」といった印象を持つ可能性がある。
【０００５】
宣伝を行う企業は、コンテンツに対してマイナスの印象を持たれる可能性を小さくしたいという要望を有する。そこで、宣伝を行う企業とは関係のないコンテンツ制作者が制作したコンテンツを、その企業の商品等の宣伝に利用すれば、消費者にマイナスの印象を持たれる可能性を小さくすることができる。
しかしながら、コンテンツ制作者が制作するコンテンツの数は多数あり、宣伝を行う企業が所望するコンテンツを見つけ出すのは困難である。
また、コンテンツ制作者にとっては、自身が制作したコンテンツをより多くの人に見てもらいたいという要望がある。
【０００６】
本発明は、企業とコンテンツ制作者とを、コンテンツに関して出会わせることができるコンテンツ提示装置を提供することを目的とする。
【課題を解決するための手段】
【０００７】
コンテンツ提示装置は、クエリ情報が入力される入力部と、動画コンテンツの内容を表す意味的情報と対応付けられた、複数の動画コンテンツが記憶される記憶部と、前記入力部によって入力されたクエリ情報に基づいて、前記記憶部に記憶される複数の動画コンテンツから、１又は複数の動画コンテンツを抽出する抽出部と、クエリ情報に関連するコンテンツに、前記抽出部によって抽出された１又は複数の動画コンテンツを含ませて表示する表示部と、動画コンテンツがコンテンツと共に前記表示部に表示された場合に、コンテンツと共に表示された動画コンテンツについて再生操作が行われると、動画コンテンツを再生させる再生制御部と、を備える。
【０００８】
コンテンツ提示装置は、前記抽出部によって抽出された動画コンテンツが複数ある場合、動画コンテンツに関する情報に基づいて、抽出された複数の動画コンテンツのうちのいずれかを、クエリ情報に関連するコンテンツに含ませて前記表示部に表示させる表示制御部をさらに備えることが好ましい。
【０００９】
コンテンツ提示装置は、前記抽出部によって抽出される動画コンテンツは、本編の動画コンテンツの内容を抜粋することにより制作された抜粋版の動画コンテンツであり、前記表示制御部は、表示部に表示される抜粋版の動画コンテンツに関連して所定の操作が行われると、抜粋版の動画コンテンツに対応する本編の動画コンテンツを、表示部に表示させることが好ましい。
【００１０】
また、前記表示制御部は、クエリ情報に関連するコンテンツに含ませて動画コンテンツを前記表示部に表示させる場合、抜粋版の動画コンテンツに対応する本編の動画コンテンツが放送される日時及びチャンネルを前記表示部に表示させる。
【００１１】
コンテンツ提示装置は、前記記憶部を複数備えることが好ましい。この場合、前記抽出部は、複数の前記記憶部に記憶される複数の動画コンテンツから、クエリ情報に対応する意味的情報が対応付けられた１又は複数の動画コンテンツを抽出する。
【００１２】
コンテンツ提示装置は、クエリ情報に基づいて、当該クエリ情報に対応する意味的情報が対応付けられた１又は複数の動画コンテンツを抽出する抽出部と、前記クエリ情報に関連するコンテンツに、前記抽出部によって抽出された１又は複数の動画コンテンツを含ませて表示する表示部と、を備える。
【発明の効果】
【００１３】
本発明によれば、企業とコンテンツ制作者とを、コンテンツに関して出会わせることができるコンテンツ提示装置を提供することができる。
【図面の簡単な説明】
【００１４】
【図１】コンテンツ提示装置の一実施形態について説明するためのブロック図である。
【図２】メタデータの一例について説明するための第１の図である。
【図３】クエリ情報の一例について説明するための第１の図である。
【図４】メタデータの一例について説明するための第２の図である。
【図５】オントロジーとしての概念間の関係を説明するための図である。
【図６】クエリ情報の一例について説明するための第２の図である。
【図７】コンテンツ提示装置の一実施例について説明するための図である。
【発明を実施するための形態】
【００１５】
以下、本発明の一実施形態について説明する。図１は、コンテンツ提示装置１の一実施形態について説明するためのブロック図である。
【００１６】
コンテンツ提示装置１は、抽出部３３と、表示部３４と、を備える。抽出部３３は、クエリ情報に基づいて、そのクエリ情報に対応する意味的情報が対応付けられた１又は複数の動画コンテンツを抽出する。表示部３４は、抽出部３３によって抽出された１又は複数の動画コンテンツを、クエリ情報に関連するコンテンツに含ませて表示する。
【００１７】
より具体的には、コンテンツ提示装置１は、入力部１０と、記憶部２０と、コンテンツ提示部３０と、を備える。
入力部１０は、例えば、文字入力キー等を備える端末である。入力部１０では、クエリ情報が入力される。クエリ情報は、例えば、ユーザに提示したい動画コンテンツ（情報内容）を検索するためのキーワードを含む。具体的な一例として、提供者（一例として、企業）が商品（一例として、イチゴ）を提供しているため、消費者にイチゴの魅力をアピールするために、イチゴの栄養素について説明している動画コンテンツを提示したい場合には、クエリ情報は、「イチゴ」の「栄養素」を含む。なお、クエリ情報の具体的な例については、後述する。
【００１８】
記憶部２０は、例えば、サーバである。なお、記憶部２０は、複数あってもよい。記憶部２０は、意味的情報が対応付けられた、複数の動画コンテンツが記憶される。意味的情報は、例えば、クエリ情報に基づいて、動画コンテンツを検索するためのキーワードである。すなわち、意味的情報は、動画コンテンツの内容を表すものである。
なお、意味的情報は、１つの動画コンテンツに複数のシーンが存在する場合には、シーン毎に付与されてもよい。また、意味的情報は、１つの動画コンテンツに複数の情報内容が含まれる場合には、情報内容ごとに付与されてもよい。具体的には、番組コンテンツは意味的単位（内容毎）に分割されている。分割は、映像の情報を用いて分割され、音声認識若しくは字幕から得られたテキスト情報を利用して分割され、又は、意味のある単位で分割されてもよい。
動画コンテンツは、例えば、放送局で放送される放送番組である。なお、動画コンテンツは、放送番組に限定されることはない。
【００１９】
コンテンツ提示部３０は、クエリ情報蓄積部３１と、メタデータ蓄積部３２と、抽出部３３と、表示部３４と、再生制御部３５と、表示制御部３６と、を備える。
クエリ情報蓄積部３１は、入力部１０によって入力されたクエリ情報を記憶する。
メタデータ蓄積部３２は、意味的情報と動画コンテンツとを対応付けたメタデータを記憶する。メタデータの具体的な例については、後述する。
【００２０】
抽出部３３は、入力部１０によって入力されたクエリ情報に基づいて、記憶部２０に記憶される複数の動画コンテンツから、クエリ情報に対応する意味的情報が対応付けられた１又は複数の動画コンテンツを抽出する。すなわち、抽出部３３は、クエリ情報蓄積部３１に記憶されるクエリ情報と、メタデータ蓄積部３２に記憶されるメタデータとに基づいて、１又は複数の動画コンテンツを抽出する。より具体的には、抽出部３３は、クエリ情報と、メタデータに含まれる意味的情報とが一致する又は対応する場合には、メタデータに基づいて、その意味的情報に対応する１又は複数の動画コンテンツを記憶部２０から抽出する。
【００２１】
ここで、記憶部２０が複数ある場合、抽出部３３は、複数の記憶部２０に記憶される複数の動画コンテンツから、クエリ情報に対応する意味的情報が対応付けられた１又は複数の動画コンテンツを抽出する。
【００２２】
表示部３４は、抽出部３３によって抽出された１又は複数の動画コンテンツを、クエリ情報に関連するコンテンツに含ませて表示する。具体的な一例として、上述したように提供者が商品（イチゴ）を提供する場合に、消費者にイチゴの魅力をアピールするために、イチゴの栄養素について説明している動画コンテンツを提示するときには、クエリ情報に関連するコンテンツは、イチゴの詳細やイチゴの栄養素について紹介するウェブページとなる。この場合、クエリ情報は、「イチゴ」の「栄養素」を含む。
【００２３】
再生制御部３５は、動画コンテンツがコンテンツと共に表示部３４に表示された場合に、コンテンツと共に表示された動画コンテンツについて再生操作が行われると、動画コンテンツを再生させる。例えば、表示部３４に表示される再生ボタンが操作された場合、又は、表示部３４に表示される動画コンテンツの画面がクリックされた場合に、再生制御部３５は、動画コンテンツを再生させる。
【００２４】
表示制御部３６は、抽出部３３によって抽出された動画コンテンツが複数ある場合、動画コンテンツに関する情報に基づいて、抽出された複数の動画コンテンツのうちのいずれかを、クエリに関連するコンテンツに含ませて表示部３４に表示させる。動画コンテンツに関する情報とは、例えば、動画コンテンツに対する信頼度、動画コンテンツの制作者に対する信頼度、クエリ情報と意味的情報との適合度、動画コンテンツが放送番組の場合には、その放送番組の視聴率、などのいずれかの情報である。動画コンテンツに関する情報は、例えば、メタデータに記述される。この場合、表示制御部３６は、上述した、信頼度、適合度又は視聴率が高い動画コンテンツを、優先的に表示部３４に表示させる。信頼度、適合度又は視聴率が高いとする場合の閾値は、例えば、クエリ情報に含まれる。
表示制御部３６は、動画コンテンツに関する情報を、動画コンテンツと共に表示部３４に表示させてもよい。
【００２５】
また、上述した抽出部３３は、記憶部２０から抜粋版の動画コンテンツを抽出する可能性がある。抜粋版の動画コンテンツとは、本編の動画コンテンツの内容を抜粋することにより制作された動画コンテンツである。すなわち、抜粋版の動画コンテンツとは、例えば、本編の動画コンテンツの中から要部を抽出した動画コンテンツである。又は、抜粋版の動画コンテンツとは、例えば、本編の動画コンテンツが放送番組の場合には、番組の一部又はダイジェストの動画コンテンツである。
【００２６】
このような場合、表示制御部３６は、表示部３４に表示される抜粋版の動画コンテンツに関連して所定の操作が行われると、抜粋版の動画コンテンツに対応する本編の動画コンテンツを、表示部３４に表示させる。一例として、表示制御部３６は、本編の動画コンテンツについて表示と再生を行うためのボタンを表示部３４に表示させる。所定の操作としてそのボタンが操作された場合、表示制御部３６は、ビデオ・オン・デマンド（ＶＯＤ）サービス等を利用して本編の動画コンテンツを読み込んで、表示部３４に本編の動画コンテンツを表示させる。本編の動画コンテンツを再生させるための再生ボタンが操作された場合、又は、本編の動画コンテンツを表示する画面がクリックされた場合、再生制御部３５は、本編の動画コンテンツを再生させる。
【００２７】
また、表示制御部３６は、クエリ情報に関連するコンテンツに含ませて動画コンテンツを表示部３４に表示させる場合、抜粋版の動画コンテンツに対応する本編の動画コンテンツが放送される日時及びチャンネルを表示部３４に表示させる。ここで、本編の動画コンテンツは、例えば、放送番組、又は、インターネットを介して配信される番組である。
【００２８】
なお、表示制御部３６は、本編の動画コンテンツを視聴するための視聴予約ボタン、又は、本編の動画コンテンツを録画するための録画予約ボタンを表示部３４に表示させてもよい。視聴予約ボタンが操作された場合には、表示制御部３６は、本編の動画コンテンツを放送する（配信される）日時になると、その本編の動画コンテンツを表示部３４に表示させる。なお、本編の動画コンテンツが表示されるのは表示部３４のみに限定されることはなく、他の表示部に表示されてもよい。録画予約ボタンが操作された場合には、表示部３４は、本編の動画コンテンツを放送する（配信される）日時になると、本編の動画コンテンツを受信して、不図示の記憶手段に本編の動画コンテンツのデータを記憶させる。
【００２９】
なお、上述した実施形態では、クエリ情報蓄積部３１、メタデータ蓄積部３２、抽出部３３、表示部３４、再生制御部３５及び表示制御部３６が、コンテンツ提示部３０に含まれる例について説明した。しかしながら、実施形態に応じて、クエリ情報蓄積部３１、メタデータ蓄積部３２、抽出部３３、表示部３４、再生制御部３５及び表示制御部３６のそれぞれは、商品提供者である企業、動画コンテンツの制作者（コンテンツプロバイダ）、及び、動画コンテンツ等を視聴するユーザ（ユーザ端末）のうち、いずれかのもとに配されればよい。
一例として、クエリ情報蓄積部３１及び抽出部３３は、入力部１０と共に、商品提供者である企業のもとに配される。また、メタデータ蓄積部３２は、記憶部２０と共に、動画コンテンツの制作者（コンテンツプロバイダ）のもとに配される。また、表示部３４、再生制御部３５及び表示制御部３６は、動画コンテンツ等を視聴するユーザのもとに配される。
【００３０】
次に、クエリ情報及びメタデータの具体的な例について説明する。
図２は、メタデータの一例について説明するための第１の図である。図３は、クエリ情報の一例について説明するための第１の図である。図２及び図３に示す一例は、一般的に普及している関係データベースシステム、及び、その問い合わせ言語であるＳＱＬによる実装例を示したものである。
【００３１】
図２に示すメタデータは、動画コンテンツのＩＤ（ｃｏｎｔｅｎｔ＿ｉｄ）、属性（ａｔｔｒｉｂｕｔｅ）及び主題（ｔｈｅｍｅ）のフィールドを持つ。例えば、図２の最上段のデータは「ｃ＿３８７４４５のＩＤを持つ動画コンテンツは、カツオの生態に関するコンテンツである」ということを示している。このようにメタデータでは、各動画コンテンツについての内容情報が記述されている。このようなメタデータは、例えば、映像コンテンツの制作者（コンテンツプロバイダ）によって作成される。
【００３２】
図３に示すクエリ情報は、属性及び主題に基づいて、動画コンテンツのＩＤを検索するものである。すなわち、図３のクエリ情報は、ＳＱＬによって、「イチゴの栄養素」に関する動画コンテンツを要求するものである。クエリ情報は、商品を扱う提供者（企業）によって作成される。
なお、図３に示すクエリ情報では、図２に示すメタデータから、「ｃ＿２５２３９５」のＩＤを持つ動画コンテンツが得られる。
【００３３】
ここで、図２及び図３の例示では、クエリ情報を作成する場合、メタデータに記述された情報（例えば、「栄養素」）を正確にクエリ情報の中に記述しなければ、求める結果は得られない。このため、図２及び図３に示す形態に代えて、以下のように、メタデータ及びクエリ情報を記述することもできる。以下の手法は、オントロジーを用いたクエリ手法である。
【００３４】
図４は、メタデータの一例について説明するための第２の図である。図５は、オントロジーとしての概念間の関係を説明するための図である。図６は、クエリ情報の一例について説明するための第２の図である。
【００３５】
図４に示すメタデータは、ｓｕｂｊｅｃｔ、ｐｒｏｐｅｒｔｙ及びｏｂｊｅｃｔからなるＲＤＦ（Ｒｅｓｏｕｒｃｅ  Ｄｅｓｃｒｉｐｔｉｏｎ  Ｆｒａｍｅｗｏｒｋ）で表現したものである。図４の上段は、「ｃ＿２５２３９５というＩＤを持つ動画コンテンツは、イチゴの栄養素という情報を持つ」ということを表している。
【００３６】
図５に示す関係は、「ｃｏｎｔａｉｎＶａｌｕｅＩｎｆｏＯｆ（〜の価値について情報を持つ）」という属性（プロパティ）には、「ｃｏｎｔａｉｎＮｕｔｒｉｔｉｏｎＩｎｆｏＯｆ（〜の栄養素についての情報を持つ）」及び「ｃｏｎｔａｉｎＥｆｆｅｃｔｉｖｅｎｅｓｓＩｎｆｏＯｆ（〜の有効性についての情報を持つ）」という２つの下位属性（サブプロパティ）を持つ、という情報を表している。つまり、図５に示す関係は、ある対象（一例として、食べ物）についての価値について述べるには、その栄養素について述べたり、（病気や健康に対しての）有効性について述べたりすることもできることを示している。
【００３７】
よって、図４に示すメタデータでは「ｃｏｎｔａｉｎＮｕｔｒｉｔｉｏｎＩｎｆｏＯｆ」及び「ｃｏｎｔａｉｎＥｆｆｅｃｔｉｖｅｎｅｓｓＩｎｆｏＯｆ」というプロパティ（ｐｒｏｐｅｒｔｙ）しか記述されていないが、それらの上位プロパティである「ｃｏｎｔａｉｎＶａｌｕｅＩｎｆｏＯｆ」で問い合わせることが可能になる。
【００３８】
図６は、「ｃｏｎｔａｉｎＶａｌｕｅＩｎｆｏＯｆ」による問い合わせを、ＳＰＡＲＱＬというＲＤＦクエリ言語で表現したものである。クエリ情報の作成者（企業）は、「取扱商品の「価値」に関する動画コンテンツを探す」という要求を作成するだけで、メタデータの中から商品の価値に関連した動画コンテンツを抽出させることが可能になる。
【００３９】
また同様に、単語の類似関係や、上位階関係を事前にオントロジーに記述しておくことにより、クエリ情報内で単語を柔軟に指定することも可能である。例えば、「イチゴ」という単語に類似した単語として「苺」や「いちご」などがある、という情報を記述しておけば、クエリ情報内で「いちご」が指定された場合に、類似単語である「イチゴ」に関する情報を取得することもできる。また、「イチゴ」の上位概念として「果物」という単語があるということを記述しておけば、「果物」に関する価値の情報を含む動画コンテンツを問い合わせた際に、イチゴの価値の情報を含む動画コンテンツを抽出するともできる。
【００４０】
このようなコンテンツ提示装置１は、以下の効果が奏される。
すなわち、コンテンツ提示装置１は、商品提供をしたい者の要望と、コンテンツ制作者が制作した動画コンテンツとのマッチングをとるので、お互いが意識していなかった場合でも、コンテンツに関して両者を出会わせることができる。
【００４１】
また、商品情報を提供したい者は、自身で動画コンテンツを制作しないので、動画コンテンツを制作するコストを削減することができる。
また、コンテンツ制作者は、自身が制作した動画コンテンツをより多くの人に見てもらうことができる。
【００４２】
また、コンテンツ提示装置１は、商品情報を提供したい者と、動画コンテンツの制作者が異なっており、商品情報を提供したい者が作成したコンテンツと、動画コンテンツの制作者が制作した動画コンテンツとを組み合わせて、ユーザに提供するものであるため、コンテンツに対してマイナスの印象を持たれる可能性を小さくすることができる。したがって、商品情報を提供したい者は、一般ユーザが実際に商品を購入するといった行動を期待することができる。
【００４３】
また、コンテンツ提示装置１は、動画コンテンツに関する情報に基づいて、抽出部３３によって抽出された複数の動画コンテンツのうちのいずれかを、クエリ情報に関連するコンテンツに含ませて表示部３４に表示させるので、例えば、信頼度の高い動画コンテンツを表示部３４に表示させることができる。
【００４４】
また、コンテンツ提示装置１は、動画コンテンツとして抜粋版の動画コンテンツが表示部３４に表示される場合に、その抜粋版の動画コンテンツに関連して所定の操作が行われると、本編の動画コンテンツを表示部３４に表示させる。このため、コンテンツ提示装置１は、ユーザに対して、幅広い情報を提供することができる。また、本編の動画コンテンツがＶＯＤサービスを利用して提供される場合には、動画コンテンツの制作者は、ＶＯＤサービスの利用料を受け取ることができる。
【００４５】
また、コンテンツ提示装置１は、動画コンテンツとして抜粋版の動画コンテンツが表示部３４に表示される場合には、動画コンテンツが放送される日時及びチャンネルを表示部３４に表示させる。このため、コンテンツ提示装置１は、ユーザに対して、幅広い情報を提供することができる。また、動画コンテンツの制作者は、本編の動画コンテンツが視聴されるのを期待することができる。
【００４６】
また、コンテンツ提示装置１は、複数の記憶部２０に記憶される複数の動画コンテンツから、クエリ情報に対応する意味的情報が対応付けられた１又は複数の動画コンテンツを抽出する。これにより、コンテンツ提示装置１は、動画コンテンツの制作者が複数有り、それぞれに記憶部２０が配される場合でも、ユーザに適切な動画コンテンツを提供することができる。
【００４７】
［実施例］
以下、コンテンツ提示装置１の一実施例について説明する。図７は、コンテンツ提示装置１の一実施例について説明するための図である。図７（Ａ）は、商品を扱う企業が作成するウェブページについて説明するための図である。図７（Ｂ）は、放送局が制作する動画コンテンツについて説明するための図である。
【００４８】
企業は、一例として、商品であるイチゴを扱っているとする。企業は、イチゴについて説明するためのウェブページ１００を作成する。ウェブページには、イチゴの画像１０１及びイチゴの説明１０２に加えて、イチゴの栄養素について解説した動画コンテンツを加えたいと仮定する。この場合、その動画コンテンツを取得するために、企業は、ウェブページに、イチゴの栄養素の動画を取得するためのクエリ情報１０３を記述する。クエリ情報は、クエリ情報蓄積部３１に記憶される。
【００４９】
一方、放送局は、種々の動画コンテンツを制作する。放送局は、動画コンテンツのそれぞれに対して、１又は複数の意味的情報を対応付ける。放送局は、複数の動画コンテンツの中に、イチゴの栄養素について解説している動画コンテンツ２０１があれば、その動画コンテンツ２０１に対して、「イチゴ」の「栄養素」の意味的情報を対応づける。動画コンテンツは、記憶部２０に記憶される。また、意味的情報と動画コンテンツとを対応付けたメタデータは、メタデータ蓄積部３２に記憶される。
【００５０】
抽出部３３は、クエリ情報蓄積部３１に記憶されたクエリ情報と、メタデータ蓄積部３２に記憶されたメタデータに基づいて、１又は複数の動画コンテンツを記憶部２０から抽出する。抽出された動画コンテンツは、イチゴの栄養素について解説した動画コンテンツ２０１となっている。表示部３４は、企業が作成したウェブページ１００の所定の箇所１０４に、抽出部３３によって抽出された動画コンテンツ２０１を表示する。再生制御部３５は、表示部３４に表示される動画コンテンツ２０１を再生させる。
【００５１】
なお、上述した例では、ウェブページは、企業が作成した例について説明した。しかしながら、ウェブページは、一般ユーザ（個人）が作成したブログであってもよい。例えば、そのブログに、一般ユーザがファンであるサッカー選手についての記述がある場合、「そのサッカー選手のフリーキック」といったクエリ情報を記述すれば、ブログ上に放送局等が提供する「そのサッカー選手のフリーキック」についての動画コンテンツが表示される。
【００５２】
また、上述した例では、動画コンテンツは、放送局が制作した例について説明した。しかしながら、動画コンテンツは、動画投稿サイトに投稿された動画コンテンツであってもよい。この場合、動画コンテンツに対応付けられる意味的情報は、動画コンテンツを動画投稿サイトに投稿する際に、一般ユーザ自身が付与してもよく、動画投稿サイト側が自動で付与してもよい。
【符号の説明】
【００５３】
１  コンテンツ提示装置
１０  入力部
２０  記憶部
３３  抽出部
３４  表示部
３５  再生制御部
３６  表示制御部
【図１】
2016045517.tif 000003
【図２】
2016045517.tif 000004
【図３】
2016045517.tif 000005
【図４】
2016045517.tif 000006
【図５】
2016045517.tif 000007
【図６】
2016045517.tif 000008
【図７】
2016045517.tif 000009